(57)【要約】本発明は、気体燃料（８）が混入された燃焼排気ガス（１０）から成る混合気を燃焼するための燃焼域（６）と、気体燃料（８）を燃焼排気ガス（１０）に注入するための燃料ノズル（２０、３４、４８）を備えた燃料混入装置（１８）とを有するガスタービン用燃焼器（４）に関する。有害物質発生量の少ない一様な燃焼を達成するために、燃料混入装置（１８）が、気体燃料（８）を音速の少なくとも０．２倍の速度で燃焼排気ガス（１０）に注入するように設計されている。【選択図】図１
2009528503.tif 000002
【特許請求の範囲】
【請求項１】
気体燃料（８）が混入された燃焼排気ガス（１０）から成る混合気を燃焼するための燃焼域（６）と、気体燃料（８）を燃焼排気ガス（１０）に注入するための燃料ノズル（２０、３４、４８）を備えた燃料混入装置（１８）とを有するガスタービン用燃焼器（４）であって、
燃料混入装置（１８）が、気体燃料（８）を音速の少なくとも０．２倍の速度で燃焼排気ガス（１０）に注入するように設計されていることを特徴とするガスタービン用燃焼器（４）。
【請求項２】
一次燃焼室（１２）を有し、燃焼域（６）が排気ガス流において一次燃焼室（１２）の下流に配置され、燃料混入装置（１８）が、一次燃焼室（１２）からの燃焼排気ガス（１０）に気体燃料（８）を注入するために利用されることを特徴とする請求項１に記載のガスタービン用燃焼器（４）。
【請求項３】
燃料混入装置（１８）が、気体燃料（８）を音速の少なくとも０．４倍の速度で燃焼排気ガス（１０）に注入するように設計されていることを特徴とする請求項１又は２に記載のガスタービン用燃焼器（４）。
【請求項４】
燃料混入装置（１８）が、気体燃料（８）を燃焼排気ガス（１０）用音速の０．９倍より小さな速度で燃焼排気ガス（１０）に注入するように設計されていることを特徴とする請求項１ないし３のいずれか１つに記載のガスタービン用燃焼器（４）。
【請求項５】
燃料混入装置（１８）が、気体燃料（８）を酸素含有ガスあるいは不活性成分と予め混合するための予混合装置（２４）を有していることを特徴とする請求項１ないし４のいずれか１つに記載のガスタービン用燃焼器（４）。
【請求項６】
予混合装置（２４）が、燃料分子数と酸素分子数との比が０．２〜１０であるように気体燃料（８）を酸素含有ガスと予め混合するように設計されていることを特徴とする請求項５に記載のガスタービン用燃焼器（４）。
【請求項７】
予混合装置（２４）が、燃料分子数と酸素分子数との比が１．０より小さいように気体燃料（８）を酸素含有ガスと予め混合するように設計されていることを特徴とする請求項５又は６に記載のガスタービン用燃焼器（４）。
【請求項８】
注入噴射流（２２）の周縁部位（２６）におけるせん断勾配（Schergradient）が、ノズル出口（２８）の前方範囲で、気体燃料（８）の自己点火に対する臨界せん断勾配を超えていることを特徴とする請求項１ないし７のいずれか１つに記載のガスタービン用燃焼器（４）。
【請求項９】
せん断勾配が自己点火に対する臨界せん断勾配を超えているノズル出口（２８）の前方範囲の長さが少なくとも１０ｃｍであることを特徴とする請求項８に記載のガスタービン用燃焼器（４）。
【請求項１０】
燃料混入装置（１８）が、燃焼域（６）用平均圧力より少なくとも２０％特に少なくとも５０％高い圧力で気体燃料（８）を燃焼排気ガス（１０）に注入するように設計されていることを特徴とする請求項１ないし９のいずれか１つに記載のガスタービン用燃焼器（４）。
【請求項１１】
気体燃料（８）から成る注入噴射流（２２）が、燃料含有ガスから成る内部噴射流（３０）と、この内部噴射流（３０）を取り囲む冷却ガスから成る外部噴射流（３２）とから成り、その冷却ガスが燃焼排気ガス（１０）より低い温度を有していることを特徴とする請求項１ないし１０のいずれか１つに記載のガスタービン用燃焼器（４）。
【請求項１２】
冷却ガスの温度が２００℃〜６００℃であることを特徴とする請求項１１に記載のガスタービン用燃焼器（４）。
【請求項１３】
冷却ガスから成る外部噴射流（３２）の速度が内部噴射流（３０）の速度と同じであることを特徴とする請求項１１又は１２に記載のガスタービン用燃焼器（４）。
【請求項１４】
冷却ガスから成る外部噴射流（３２）の速度が内部噴射流（３０）の速度より大きいことを特徴とする請求項１１又は１２に記載のガスタービン用燃焼器（４）。
【請求項１５】
冷却ガスが燃料を含んでいることを特徴とする請求項１１ないし１４のいずれか１つに記載のガスタービン用燃焼器（４）。
【請求項１６】
冷却ガスが少なくとも本質的に不活性成分および／又は空気から成っていることを特徴とする請求項１１ないし１４のいずれか１つに記載のガスタービン用燃焼器（４）。
【請求項１７】
燃焼域（６）用燃焼排気ガス（１０）の温度が９００℃〜１６００℃であることを特徴とする請求項１ないし１６のいずれか１つに記載のガスタービン用燃焼器（４）。
【請求項１８】
気体燃料（８）が混入された燃焼排気ガス（１０）から成る混合気が燃焼される燃焼域（６）を備え、気体燃料（８）が燃料ノズル（２０、３４、４８）により燃焼排気ガス（１０）に注入されるガスタービン用燃焼器（４）の運転方法であって、
気体燃料（８）が燃焼排気ガス（１０）に音速の少なくとも０．２倍の速度で注入されることを特徴とするガスタービン用燃焼器（４）の運転方法。
【発明の詳細な説明】
【技術分野】
【０００１】
本発明は、気体燃料が混入された燃焼排気ガスから成る混合気を燃焼するための燃焼域と、気体燃料を燃焼排気ガスに注入するための燃料ノズル付きの燃料混入装置とを備えたガスタービン用燃焼器に関する。また本発明は、気体燃料が燃料ノズルにより燃焼排気ガスに注入され、気体燃料が混入された燃焼排気ガスから成る混合気が燃焼域で燃焼される、ガスタービン用燃焼器の運転方法に関する。
【０００２】
ガスタービン用静かで安定した燃焼を得るために、自己点火温度より高い温度の混合気が形成されるように、気体燃料を高温燃焼排気ガスに注入することが知られている。
【０００３】
米国特許出願公開第５６１７７１８号明細書において、ガスタービン用二次燃焼域付き燃焼器に対する燃焼装置と、ガスタービン用二次燃焼域付き燃焼器の運転方法が知られている。気体燃料が混入された一次燃焼域からの燃焼排気ガスから成る混合気が、その二次燃焼域において燃焼される。
【０００４】
米国特許出願公開第２００５／０２２９５８１号明細書において、二次燃焼域用燃焼排気ガスに気体燃料を注入する燃料ノズルを備えた燃料混入装置が知られている。その燃焼排気ガスは、燃料ノズルが内部に配置された混合管内および燃焼室内用音響脈動を減衰するために、音響シールドを通して二次燃焼域に導入される。
【０００５】
本発明の課題は特に、有害物質発生量の少ない燃焼が保証されるガスタービン用燃焼器およびその運転方法を提供することにある。
【０００６】
ガスタービン用燃焼器に向けられた課題は、冒頭に述べた形式のガスタービン用燃焼器において、燃料混入装置が、本発明に基づいて、気体燃料を音速の少なくとも０．２倍の速度で燃焼排気ガスに注入するように設計されていることによって解決される。少なくともマッハ数Ｍａ＝０．２に相当する速度によって、噴射流の硬さが得られ、その硬さによって噴射流の周縁部位に、高いせん断勾配（Schergradient）（即ち、噴射流内側から周縁部位を越えて噴射流外側まで急激に低下する噴射流の速度）が得られる。そのせん断勾配は、例えば、噴射流の長手方向用流体速度ないし気体速度の成分の、噴射流の中心軸線に関して横方向ないし半径方向の導関数によって定量化される。高いせん断勾配の領域において燃焼反応は起こらず、このために、混合気は、噴射流が硬くない周辺部よりも遅れて点火される。この効果によって、燃焼が遅延され、燃焼排気ガスと気体燃料との良好な混合が保証される。
【０００７】
通常の再熱燃焼装置では、燃料は０．３ｍｓ以下で既に点火し、これにより、燃料は燃焼排気ガスと良く混合されない。このために、許容できないＮＯｘ放出を生じさせる不利な拡散火炎が生ずる。火炎が空気の予混合なしに燃焼することを拡散火炎と呼ぶ。
燃焼にとって必要な酸素並びにすべての他の空気成分は火炎縁を越えて火炎の中に拡散するので、火炎は火炎芯に向けて次第に酸素供給が悪くなり、従って、燃料はゆっくり燃焼する。
【０００８】
これと異なって、本発明に基づく再熱燃焼装置によって、可視火炎の代わりに、穏和燃焼、無色燃焼あるいは体積燃焼としても知られ有害物質発生量の少ない無発光燃焼が可能となる。気体燃料は、自己点火に対する臨界せん断勾配よりも高いせん断勾配の領域において排気ガスと混合され、せん断勾配の値が臨界値より低い領域に対流で搬送されたときにはじめて点火する。燃焼がほぼ一様に行われる大きな体積の火炎域が得られる。さらに、燃焼排気ガスの組成の適当な選択によって、著しい希薄燃焼が達成され、これは、最終的に二次燃焼域用ＮＯｘやＣＯのような有害物質成分の発生を少なくさせる。
【０００９】
本発明に基づく方式の重要なパラメータは、基準系（Bezugssystem）に関する噴射流の速度である。その基準系は、燃料が注入される燃焼排気ガスが特にゆっくり流れるときには、静止燃焼室とすることができ、これにより、その速度は無視できる。燃料が注入される燃焼ガスが急速に流れるときには、基準系として、噴射流を取り囲む燃焼排気ガスに関する移動基準系が選択される。その場合、気体燃料が燃焼排気ガスに注入される速度は、有利に、燃焼排気ガスに関する移動基準系に拠る。その音速は、目的に適って、ノズルから流出する未燃の燃料含有混合気（以下において単に気体燃料と呼ぶ）の音速と見なされ、これは気体燃料の温度と圧力に関係する。従って、気体燃料は噴射流で、気体燃料用音速の少なくとも０．２倍の速度で燃焼排気ガスに注入される。
【００１０】
分散効果が音速の周波数依存性を前提とする限りにおいて、その値は数１００Ｈｚとなる。注入噴射速度は例えば噴射流中心において測定され、あるいは噴射流横断面の全面積あるいは部分面積にわたる平均で測定される。
【００１１】
このガスタービン用燃焼器は、目的に適って、追加燃焼装置あるいは再熱燃焼装置あるいはその一部である。気体燃料は、目的に適って、所定温度の燃焼排気ガスをそれ自体が自己点火するように燃料で濃縮のに十分な燃料含有率を有する。その燃料としては、ガスタービンに利用されるすべての燃料が利用でき、例えば燃料油、合成ガス、天然ガス、メタノールあるいは純粋な水素並びに混合ガスが利用できる。高い注入噴射速度で得られる高いせん断勾配による燃焼遅延原理は、利用される燃料とほとんど無関係であるという特長を有する。
【００１２】
本発明の有利な実施態様において、ガスタービン用燃焼器は一次燃焼室を有し、その場合、燃焼域は排気ガス流において一次燃焼室の下流に配置され、燃料混入装置が、一次燃焼室からの燃焼排気ガスに気体燃料を注入するために利用される。この場合、燃焼排気ガスを再循環する必要なしに、気体燃料が燃焼排気ガスに注入され、これによって、高いせん断勾配の安定した注入噴射流が得られる。
【００１３】
本発明の他の実施態様において、燃料混入装置は、気体燃料を音速の少なくとも０．４倍の速度で燃焼排気ガスに注入するように設計されている。一般的に、せん断勾配の値が臨界値より上に位置する領域は、噴射流が速くなればなるほどおよび硬くなればなるほど大きくなる。技術的に単純に安価に実現できるマッハ数０．４による注入噴射によって、自己点火の著しい遅延が達成され、この遅延は、最終的に、二次燃焼排気ガス用有害物質濃度の十分な減少を生じさせる。
【００１４】
燃料混入装置が、気体燃料を燃焼排気ガス用音速の０．９倍より小さな速度で燃焼排気ガスに注入するように設計されていることによって、一方では高速についての要件と他方ではコスト上有利な燃料混入装置についての要件との満足できるバランスが達成される。
【００１５】
燃料混入装置が、気体燃料を酸素含有ガスと予め混合するための予混合装置を有していることによって、燃焼生成物用有害物質濃度が小さい穏和な希薄燃焼が達成される。予混合から生ずる混合生成物が排気ガスに注入される気体燃料である。
【００１６】
特に、予混合装置が、燃料分子数と酸素分子数との比が０．２〜１０であるように、気体燃料を酸素含有ガスと予め混合するために設計されていることを提案する。予混合装置が、燃料分子数と酸素分子数との比が１．０より小さいように、気体燃料を酸素含有ガスと予め混合するために設計されていることによって、本発明に基づく速度範囲の下部における噴射流速度で既に希薄燃焼が達成される。
【００１７】
その代わりにあるいはそれに加えて、燃料に不活性成分を混入することができ、その場合、目的に適って同様に、上述の比がいまや酸素含有ガスに代えて不活性成分で考慮されている。その不活性成分としては特に、水蒸気やＣＯ2や窒素が適している。その不活性成分の微粒子量は燃料の１０倍までとすることができる。この燃料は、酸素含有ガスあるいは不活性成分の混入なしでも、気体燃料として注入できる。
【００１８】
注入噴射流の周縁部位用せん断勾配が、ノズル出口の前方範囲で（即ち、ノズル出口の下流で）、自己点火に対する臨界せん断勾配を超えることによって、自己点火の遅延が保証される。
【００１９】
その場合、せん断勾配が自己点火に対する臨界せん断勾配を超えるノズル出口の前方範囲の長さが少なくとも１０ｃｍであることが有利である。その範囲の長さは、勿論、噴射流および燃焼排気ガスの速度に左右され、特に有利に、自己点火が少なくとも１ｍｓだけ遅らされるように選定されている。
【００２０】
燃料混入装置が、二次燃焼域用平均圧力より少なくとも２０％特に少なくとも５０％高い圧力で気体燃料を燃焼排気ガスに注入するように設計されていることによって、噴射流が特に単純な様式で実現される。一般的に、燃焼排気ガスの圧力に対する噴射流圧と燃焼排気ガス圧の圧力差の比は、噴射流の速度および燃焼排気ガス用音速の比と同じである。
【００２１】
気体燃料から成る注入噴射流が、燃料含有ガスから成る内部噴射流と、この内部噴射流を取り囲む冷却ガスから成る外部噴射流から成り、その冷却ガスが燃焼排気ガスより低い温度を有している場合には、自己点火温度の到達が遅らされ、これにより、自己点火が冷却ガスによって一層遅らされるので、特に効果的な予混合が達成される。さらに、せん断勾配の臨界値が温度に左右されることに注意すべきで、その臨界値は冷却ガスの添加によって低下される。これは最終的に、せん断勾配が局所的温度に依存する臨界値を超える予混合域の増大を生じさせる。
【００２２】
冷却ガスの温度が２００℃〜４００℃であることによって効果的な冷却が達成される。
【００２３】
冷却ガスから成る外部噴射流の速度が内部噴射流の速度と同じであることによって、噴射流縁の硬さが補助外部噴射流によって低下せず、これによって、大きなせん断勾配が得られる。
【００２４】
燃焼遅延の利点は、冷却ガスから成る外部噴射流の速度が内部噴射流の速度より大きいことによって一層高められる。内部噴射流と周囲だけによるよりも、外部噴射流と周囲との間の一層大きなせん断勾配が得られ、これによって、燃焼が一層遅らされる。
【００２５】
他方で、冷却ガスから成る外部噴射流の速度が内部噴射流の速度より小さいことによって、外部噴射流を、高価な圧縮機およびノズルを必要とすることなしに、安価な様式で発生することができる。冷却ガスが燃料を含んでいることによって、火炎領域における均一な燃料濃度が得られる。
【００２６】
冷却ガスが少なくとも本質的に空気から成っていることによって、ガスタービン用燃焼器のコスト的に有利な実現が達成される。
【００２７】
燃焼排気ガスの温度が９００℃〜１６００℃である場合には、その温度範囲では特に自己点火が早いので、本発明の利点が特に生ずる。
【００２８】
方法に向けられた課題は、冒頭に述べた形式のガスタービン用燃焼器の運転方法において、本発明に基づいて、気体燃料が燃焼排気ガスに音速の少なくとも０．２倍の速度で注入されることによって解決される。上述した理由から、有害物質発生量の少ない燃焼が達成される。
【００２９】
以下図に示した実施例を参照して本発明を詳細に説明する。
【００３０】
図１はガスタービン設備用再熱燃焼装置２を示し、この再熱燃焼装置２は、二次燃焼域６付きのガスタービン用燃焼器４を備え、気体燃料８が混入された燃焼排気ガス１０から成る混合気が、その二次燃焼域６において燃焼される。燃焼排気ガス１０は、この燃焼排気ガス１０に関して二次燃焼域６の上流に位置されたガスタービン設備の一次燃焼域１２からやって来る。この一次燃焼域１２はガスタービンのタービン段１４によって二次燃焼域６から切り離されている。そのタービン段１４の動翼１６は燃焼室（一次燃焼域）１２からの燃焼排気ガス１０によって駆動される。二次燃焼域６はほぼ環状形をし、タービン段１４の回転軸線（図示せず）に対して回転対称となっている。二次燃焼域６に流入する燃焼排気ガス１０は９００℃〜１６００℃の温度を有する。二次燃焼域６を一次燃焼域１２からタービン段１４によって切り離す代わりに、一次燃焼域１２に換えて、二次燃焼域６の上流用共通燃焼室での燃焼前段過程が可能である。
【００３１】
再熱燃焼装置２は燃料ノズル２０付きの燃料混入装置１８を有している。その燃料ノズル２０によって気体燃料８が、タービン段１４の回転軸線に関して半径方向内側に向けられた方向成分をもって、二次燃焼域６に軸方向に流入する燃焼排気ガス１０に注入される。
【００３２】
燃料混入装置１８は、気体燃料８を燃焼排気ガス１０に急速な衝撃噴射流２２の形で注入するために、強力な圧縮機とノズル幾何学形状によって設計されている。その注入噴射流２２の速度は、再熱燃焼装置２の状態に対する特性量を含むセンサ信号に依存して、再熱燃焼装置２の制御装置（図示せず）が燃料混入装置１８の圧縮機圧力を調整することによって、検出された状態に柔軟に合わされる。
【００３３】
しかしその注入噴射流速度は少なくとも、燃焼排気ガス１０用音速×０．４〜０．９の速度範囲において高いせん断勾配（Schergradient）で燃焼が実施される運転モード内にある。そのために、制御装置はその注入噴射流速度を、燃焼排気ガス１０の圧力と温度に関係して決定し、あるいは、どんな場合でも発生するすべての温度と圧力において音速×０．４に相当する最低速度を超える注入噴射流２２の一定速度に設定することができる。
【００３４】
特に有害物質発生量の少ない燃焼で特徴づけられる運転モードにおいては、燃料混入装置１８は気体燃料８を、燃焼排気ガス１０用音速×０．６〜０．８の速度範囲用速度で燃焼排気ガス１０に注入する。
【００３５】
この実施例において、燃料ノズル２０は亜音速ノズルとして設計され、これによって、燃料混入装置１８は気体燃料８を最大で、燃焼排気ガス１０用音速×０．９に相当する速度で燃焼排気ガス１０に注入する。
【００３６】
また、燃料混入装置１８は、気体燃料８を酸素含有ガスあるいは不活性成分と予め混合するための概略的に示された予混合装置２４を有している。この予混合装置２４は気体燃料８を可変混合比で対応したガスと予混合する。その考え得る混合比の範囲、即ち、燃料分子数と酸素分子数との考え得る比は、特に０．２〜２．０の範囲にある。
【００３７】
少なくとも高いせん断勾配の燃焼モードにおいて、制御装置は予混合装置２４を、この予混合装置２４が気体燃料８を酸素含有ガスと、燃料分子数と酸素分子数との比が１．０より小さいような比で予混合するように作動する。
【００３８】
注入噴射流２２の速度は、衝撃噴射流２２の周縁部位２６用せん断勾配がノズル出口２８の前方範囲で自己点火に対する臨界せん断勾配を超えるほどに大きい。その場合、せん断勾配が自己点火に対する臨界せん断勾配を超えるノズル出口２８の前方範囲の長さは少なくとも１０ｃｍである。
【００３９】
高い速度を発生するために、燃料混入装置１８は圧縮機（図示せず）を有し、これにより、燃料混入装置１８は気体燃料８を、二次燃焼域６用燃焼排気ガス１０の平均圧力より２０％高い圧力で燃焼排気ガス１０に注入できる。図示した実施例において、二次燃焼域６用一次燃焼域からの燃焼排気ガス１０の圧力は約２０バールであり、気体燃料８の圧力は３０バールである。
【００４０】
その場合、気体燃料８から成る注入噴射流２２は、燃料含有ガスから成る内部噴射流３０と、この内部噴射流３０を取り囲む冷却ガスから成る外部噴射流３２から成っている。その冷却ガスの温度は２００℃〜６００℃であり、これにより、冷却ガスは一次燃焼域から二次燃焼域６に流入する燃焼排気ガス１０より低い温度を有する。
【００４１】
再熱燃焼装置の運転中、一次燃焼室１２において気体燃料が燃焼され、高温燃焼排気ガス１０がタービン段１４を通って二次燃焼域６に向けて流れる。この排気ガス流（燃焼排気ガス１０）に気体燃料８が、少なくとも燃焼排気ガス１０用音速×０．２の大きさである速度で注入噴射流１２の形で注入される。この第１実施例において、冷却ガスから成る外部噴射流３２の速度は内部噴射流３０の速度と同じであり、これにより、内部噴射流３０と外部噴射流３２との間にせん断勾配は生じない。外部噴射流３２の外側周縁と注入噴射流２２全体を取り囲む燃焼排気ガス１０との移行部用周縁部位２６に、大きなせん断勾配が生ずる。
【００４２】
構造的に安価である異なった実施例において、冷却ガスから成る外部噴射流３２の速度は内部噴射流３０の速度より小さい。
【００４３】
冷却ガスは少なくとも本質的に、窒素やＣＯ2や水蒸気のような不活性成分から成り、その燃料混入装置１８は、火炎を均一化するために、冷却ガスに燃料を可調整比で混入することができる。あるいはまた、冷却ガスとして空気も考えられる。
【００４４】
図２は異なった形態の再熱燃料装置用燃料ノズル３４を示している。この燃料ノズル３４は内管３６とこの内管３６を同心的に取り囲む外管３８から成り、この外管３８は、流れ方向において内管３６より前方に突き出し、前方混合領域４０が横断面円錐状に徐々に細くなり、燃料ノズル３４の円形出口開口４２で終えている。
【００４５】
内管３６において純燃料あるいは少なくとも燃料高含有ガスが案内され、他方で、内管３６と外管３８との隙間において、酸素豊富ジャケット流、有利な実施例においては空気が案内される。混合領域４０において、燃料高含有ガスと酸素含有ジャケット流が予混合された気体燃料８の形に混合される。
【００４６】
燃料ノズル３４の横断面円錐状に徐々に細くなっている前方混合領域４０において、気体燃料８は、噴射流分布にわたる平均速度が本質的に横断面積に反比例するので、加速される。予混合済み気体燃料８が、出口開口４２を通して最終的に、注入噴射流２２の形で二次燃焼域６に導入される。
【００４７】
図３は異なった形態の再熱燃料装置４４を示し、この再熱燃料装置４４は、図１と図２に示された再熱燃焼装置とは特に、燃焼排気ガス１０の流れの中心まで突出した槍形管４６として形成された燃料ノズル４８の点で相違している。気体燃料８は、タービン段１４の回転軸線に関して半径方向に二次燃焼域６の中に突出する燃料ノズル４８のパイプ５０によって案内されている。このパイプ５０の半径方向内側端に、二次燃焼域６において案内される燃焼排気ガス１０の流れ方向に向いた槍形管４６が続き、この槍形管４６を通して、気体燃料８が、好適には、０．４〜０．９の範囲用マッハ数で、燃焼排気ガス１０の中にほぼその流れ方向に注入される。
【図面の簡単な説明】
【００４８】
【図１】本発明に基づく第１実施例の二次燃焼域付きガスタービン用燃焼器の概略構成図。
【図２】本発明に基づく異なった実施例の再熱燃焼装置の燃料ノズルの概略断面図。
【図３】本発明に基づくさらに異なった実施例の槍形管として形成された燃料ノズルの概略構成図。
【符号の説明】
【００４９】
４    ガスタービン用燃焼器
６    二次燃焼域
８    気体燃料
１０    燃焼排気ガス
１２    一次燃焼域（一次燃焼室）
１８    燃料混入装置
２２    噴射流
３０    内部噴射流
３２    外部噴射流
【図１】
2009528503.tif 000003
【図２】
2009528503.tif 000004
【図３】
2009528503.tif 000005
【国際調査報告】
2009528503.tif 000006
2009528503.tif 000007
2009528503.tif 000008
2009528503.tif 000009
2009528503.tif 000010
2009528503.tif 000011